(57)【特許請求の範囲】
【請求項１】
第１接続先の３次元形状データが有する前記第１接続先のピンデータ群と、コネクタの３次元形状データが有する第１接続元のピンデータ群と、の接触を検出し、
前記第１接続先のピンデータ群と前記第１接続元のピンデータ群との接触が検出された第１の検出結果に基づいて、互いに接触しあう、前記第１接続先のピンデータ群の各々のピンデータと、前記第１接続元のピンデータ群の各々のピンデータとの組み合わせを示す第１の接触情報を特定し、
第２接続先の３次元形状データが有する第２接続先のピンデータ群と、前記コネクタの３次元形状データが有する第２接続元のピンデータ群と、の接触を検出し、
前記第２接続先のピンデータ群と前記第２接続元のピンデータ群との接触が検出された第２の検出結果に基づいて、互いに接触しあう、前記第２接続先のピンデータ群の各々のピンデータと、前記第２接続元のピンデータ群の各々のピンデータとの組み合わせを示す第２の接触情報を特定し、
特定された前記第１の接触情報および前記第２の接触情報と、前記第１接続元のピンデータ群の各々のピンデータと前記第２接続元のピンデータ群の各々のピンデータとの接続関係とに基づいて、前記第１接続先のピンデータ群の各々のピンデータから、前記第１接続元のピンデータ群の各々のピンデータ、前記第２接続元のピンデータ群の各々のピンデータ、前記第２接続先のピンデータ群の各々のピンデータまでの接続関係を示す接続関係データ群を生成する、
処理をコンピュータに実行させることを特徴とする生成プログラム。
【請求項２】
結合された前記第１接続先の３次元形状データおよび前記コネクタの３次元形状データを分解し、前記第１の接触情報に基づいて接触関係があるピンデータ間の対応関係を示す情報を描画し、
結合された前記第２接続先の３次元形状データおよび前記コネクタの３次元形状データを分解し、前記第２の接触情報に基づいて接触関係があるピンデータ間の対応関係を示す情報を描画する、
処理を前記コンピュータに実行させることを特徴とする請求項１に記載の生成プログラム。
【請求項３】
分解後の３次元形状データ群のうちいずれかの３次元形状データにおけるいずれかのピンデータの指定を受け付け、
生成された前記接続関係データ群の中から、指定されたピンデータを含む特定の接続関係データを抽出し、
抽出された特定の接続関係データに含まれるピンデータ群を強調表示する、
処理を前記コンピュータに実行させることを特徴とする請求項２に記載の生成プログラム。
【請求項４】
前記強調表示する処理は、前記特定の接続関係データに含まれるピンデータ群の各々のピンデータの識別情報を表示することを特徴とする請求項３に記載の生成プログラム。
【請求項５】
前記強調表示する処理は、前記特定の接続関係データに含まれるピンデータ群に対応する線分を強調表示することを特徴とする請求項３または４に記載の生成プログラム。
【請求項６】
生成された前記接続関係データ群の中からいずれかの接続関係データの指定を受け付け、
分解後の３次元形状データ群において、指定された前記いずれかの接続関係データに含まれるピンデータ群を強調表示する、
処理を前記コンピュータに実行させることを特徴とする請求項２に記載の生成プログラム。
【請求項７】
前記強調表示する処理は、前記いずれかの接続関係データに含まれるピンデータ群の各々のピンデータの識別情報を表示することを特徴とする請求項６に記載の生成プログラム。
【請求項８】
前記強調表示する処理は、前記いずれかの接続関係データに含まれるピンデータ群に対応する線分を強調表示することを特徴とする請求項６または７に記載の生成プログラム。
【請求項９】
第１接続先の３次元形状データが有する前記第１接続先のピンデータ群と、コネクタの３次元形状データが有する第１接続元のピンデータ群と、の接触を検出し、
前記第１接続先のピンデータ群と前記第１接続元のピンデータ群との接触が検出された第１の検出結果に基づいて、互いに接触しあう、前記第１接続先のピンデータ群の各々のピンデータと、前記第１接続元のピンデータ群の各々のピンデータとの組み合わせを示す第１の接触情報を特定し、
第２接続先の３次元形状データが有する第２接続先のピンデータ群と、前記コネクタの３次元形状データが有する第２接続元のピンデータ群と、の接触を検出し、
前記第２接続先のピンデータ群と前記第２接続元のピンデータ群との接触が検出された第２の検出結果に基づいて、互いに接触しあう、前記第２接続先のピンデータ群の各々のピンデータと、前記第２接続元のピンデータ群の各々のピンデータとの組み合わせを示す第２の接触情報を特定し、
特定された前記第１の接触情報および前記第２の接触情報と、前記第１接続元のピンデータ群の各々のピンデータと前記第２接続元のピンデータ群の各々のピンデータとの接続関係とに基づいて、前記第１接続先のピンデータ群の各々のピンデータから、前記第１接続元のピンデータ群の各々のピンデータ、前記第２接続元のピンデータ群の各々のピンデータ、前記第２接続先のピンデータ群の各々のピンデータまでの接続関係を示す接続関係データ群を生成する、
処理をコンピュータが実行することを特徴とする生成方法。
【請求項１０】
第１接続先の３次元形状データが有する前記第１接続先のピンデータ群と、コネクタの３次元形状データが有する第１接続元のピンデータ群と、の接触を検出する第１の検出部と、
前記第１の検出部によって検出された検出結果に基づいて、互いに接触しあう、前記第１接続先のピンデータ群の各々のピンデータと、前記第１接続元のピンデータ群の各々のピンデータとの組み合わせを示す第１の接触情報を特定する第１の特定部と、
第２接続先の３次元形状データが有する第２接続先のピンデータ群と、前記コネクタの３次元形状データが有する第２接続元のピンデータ群と、の接触を検出する第２の検出部と、
前記第２の検出部によって検出された検出結果に基づいて、互いに接触しあう、前記第２接続先のピンデータ群の各々のピンデータと、前記第２接続元のピンデータ群の各々のピンデータとの組み合わせを示す第２の接触情報を特定する第２の特定部と、
前記第１および第２の特定部によって特定された第１の接触情報および第２の接触情報と、前記第１接続元のピンデータ群の各々のピンデータと前記第２接続元のピンデータ群の各々のピンデータとの接続関係とに基づいて、前記第１接続先のピンデータ群の各々のピンデータから、前記第１接続元のピンデータ群の各々のピンデータ、前記第２接続元のピンデータ群の各々のピンデータ、前記第２接続先のピンデータ群の各々のピンデータまでの接続関係を示す接続関係データ群を生成する生成部と、
を有することを特徴とする生成装置。
【発明の詳細な説明】
【技術分野】
【０００１】
本発明は、生成プログラム、生成方法、および生成装置に関する。
【背景技術】
【０００２】
従来、コネクタを介して相互に接続された複数のプリント回路基板を備える伝送装置や通信機器などの電子装置において、複数のプリント回路基板間の接続設計を行う技術が存在する。例えば、ドライバ部品の出力ピンから出力された信号がレシーバ部品の入力ピンにまで至る信号接続経路の妥当性、すなわち、信号ピン間の接続妥当性を確認する従来技術が開示されている。
【０００３】
上述した従来技術を用いる場合、複数のプリント回路基板間を接続している物理ピンの接続情報を定義した定義ファイルを電気系２次元ＣＡＤ（Ｃｏｍｐｕｔｅｒ  Ａｉｄｅｄ  Ｄｅｓｉｇｎ）に読み込ませて、複数のプリント回路基板間の接続設計が行われる。
【先行技術文献】
【特許文献】
【０００４】
【特許文献１】特開２００１−３２５３１５号公報
【特許文献２】特開平１１−６６１１８号公報
【特許文献３】特開２００２−２８８２５６号公報
【発明の概要】
【発明が解決しようとする課題】
【０００５】
しかしながら、上述した従来技術では、複数のプリント回路基板の２次元ＣＡＤデータを用いるため、複数のプリント回路基板間を接続している物理ピンの接続情報の定義ファイルは、人手でピンの対応を指定することにより作成される。たとえば、設計者は、プリント回路基板のどのピンがコネクタのどのピンと直接接続されるかを人手で指定しなければならない。また、コネクタを介してプリント回路基板同士が接続される場合、設計者は、一方のプリント回路基板のどのピンが他方のプリント回路基板のどのピンに間接的に接続されるかを人手で特定しなければならない。したがって、上述した従来技術による接続設計では、設計者の設計負担の増大や設計期間の長期化を招くという問題がある。
【０００６】
本発明は、接続設計の効率化を図ることを目的とする。
【課題を解決するための手段】
【０００７】
本発明の一側面によれば、第１接続先の３次元形状データが有する前記第１接続先のピンデータ群と、コネクタの３次元形状データが有する第１接続元のピンデータ群と、の接触を検出し、検出結果に基づいて、互いに接触しあう、前記第１接続先のピンデータ群の各々のピンデータと、前記第１接続元のピンデータ群の各々のピンデータとの組み合わせを示す第１の接触情報を特定し、第２接続先の３次元形状データが有する第２接続先のピンデータ群と、前記コネクタの３次元形状データが有する第２接続元のピンデータ群と、の接触を検出し、検出結果に基づいて、互いに接触しあう、前記第２接続先のピンデータ群の各々のピンデータと、前記第２接続元のピンデータ群の各々のピンデータとの組み合わせを示す第１の接触情報を特定し、第１の接触情報および第２の接触情報と、前記第１接続元のピンデータ群の各々のピンデータと前記第２接続元のピンデータ群の各々のピンデータとの接続関係とに基づいて、前記第１接続先のピンデータ群の各ピンデータから、前記第１接続元のピンデータ群の各ピンデータ、前記第２接続元のピンデータ群の各ピンデータ、前記第２接続先のピンデータ群の各ピンデータまでの接続関係を示す接続関係データ群を生成する生成プログラム、生成方法、および生成装置が提案される。
【発明の効果】
【０００８】
本発明の一側面によれば、接続設計の効率化を図ることができるという効果を奏する。
【図面の簡単な説明】
【０００９】
【図１】図１は、生成装置によるプリント回路基板の接続設計例を示す説明図である。
【図２】図２は、生成装置のハードウェア構成例を示すブロック図である。
【図３】図３は、３次元部品ライブラリデータに含まれる接続定義情報１１０の一例を示す説明図である。
【図４】図４は、実施の形態１にかかる生成装置２００の機能的構成例を示すブロック図である。
【図５】図５は、第１の接触情報１１１の一例を示す説明図である。
【図６】図６は、第２の接触情報１１２の一例を示す説明図である。
【図７】図７は、接続関係データ群を含む接続条件データ１１３の一例を示す説明図である。
【図８】図８は、表示部４１０による表示例１を示す説明図である。
【図９】図９は、表示部４１０による表示例２を示す説明図である。
【図１０】図１０は、実施の形態１にかかる生成装置２００による生成処理手順例を示すフローチャートである。
【図１１】図１１は、表示部４１０による表示例３を示す説明図である。
【図１２】図１２は、表示部４１０による表示例４を示す説明図である。
【図１３】図１３は、実施の形態２にかかる生成装置２００による生成処理手順例を示すフローチャートである。
【発明を実施するための形態】
【００１０】
以下に添付図面を参照して、この発明にかかる生成プログラム、生成方法、および生成装置の実施の形態を詳細に説明する。
【００１１】
＜接続設計例＞
図１は、生成装置によるプリント回路基板の接続設計例を示す説明図である。生成装置は、プリント回路基板に関する電気系２次元ＣＡＤの実装ＣＡＤデータ（以下、単に「実装データ」）を３次元ＣＡＤデータに変換する。たとえば、生成装置は、第１のプリント回路基板に関する第１の実装データ１０１を、第１のプリント回路基板に関する３次元ＣＡＤデータＭ１に変換する。同様に、生成装置は、第２のプリント回路基板に関する第２の実装データ１０２を、第２のプリント回路基板に関する３次元ＣＡＤデータＭ２に変換する。
【００１２】
第１のプリント回路基板に関する３次元ＣＡＤデータＭ１は、第１のプリント回路基板の３次元の形状を特定する３次元形状データである。また、第１のプリント回路基板に関する３次元ＣＡＤデータＭ１は、ピンを示すピンデータを有する。第１のプリント回路基板に関する３次元ＣＡＤデータＭ１において、下端縁に配列する矩形群がピンデータ群Ｐ１である。図１では、第１のプリント回路基板に関する３次元ＣＡＤデータＭ１の下端縁の表面にピンデータが存在するが、裏面にもピンデータが存在するものとする。
【００１３】
第２のプリント回路基板に関する３次元ＣＡＤデータＭ２は、第２のプリント回路基板の３次元の形状を特定する３次元形状データである。また、第２のプリント回路基板に関する３次元ＣＡＤデータＭ２は、ピンを示すピンデータを有する。第２のプリント回路基板に関する３次元ＣＡＤデータＭ２において、手前側に配列する円群がピンデータ群Ｐ２である。
【００１４】
生成装置は、コネクタに関する３次元ＣＡＤデータＭ３を記憶装置から読み出す。コネクタに関する３次元ＣＡＤデータＭ３は、コネクタの３次元の形状を特定する３次元形状データである。コネクタに関する３次元ＣＡＤデータＭ３の上端部１０３には、第１のプリント回路基板に関する３次元ＣＡＤデータＭ１と接続するための開口部１０３ａが形成されており、開口部１０３ａに第１のプリント回路基板に関する３次元ＣＡＤデータＭ１の下端縁１０４が嵌合される。
【００１５】
開口部１０３ａの内周面には、第１接続元のピンデータ群Ｐ３が存在する。開口部１０３ａの内周面に配列する矩形群が第１接続元のピンデータ群Ｐ３である。第１接続元のピンデータ群Ｐ３が存在する内周面に対向する内周面にも第１接続元のピンデータが存在する。また、コネクタに関する３次元ＣＡＤデータＭ３の下端部１０５には、第２の接続元ピンデータ群Ｐ４が存在する。他端部から下方に突出する棒状の図形が第２の接続元ピンデータ群Ｐ４である。
【００１６】
第１接続元のピンデータ群Ｐ３の各ピンデータと第２接続元のピンデータ群Ｐ４の各ピンデータとは、接続されている。第１接続元のピンデータ群Ｐ３の各ピンデータからの信号は、接続先となる第２接続元のピンデータ群Ｐ４の各ピンデータから出力される。同様に、第２接続元のピンデータ群Ｐ４の各ピンデータからの信号は、接続先となる第１接続元のピンデータ群Ｐ３の各ピンデータから出力される。このように、第１接続元のピンデータ群Ｐ３のどのピンデータが第２接続元のピンデータ群Ｐ４のどのピンデータと接続されているかを定義した情報が、接続定義情報１１０である。
【００１７】
また、生成装置は、マウスなどの入力装置を用いたユーザの操作で、第１のプリント回路基板に関する３次元ＣＡＤデータＭ１の下端縁をコネクタに関する３次元ＣＡＤデータＭ３の開口部１０３ａに挿入することにより、第１のプリント回路基板に関する３次元ＣＡＤデータＭ１とコネクタに関する３次元ＣＡＤデータＭ３とを接続させる。この場合、第１のプリント回路基板に関する３次元ＣＡＤデータＭ１のピンデータ群Ｐ１の各ピンデータと第１接続元のピンデータ群Ｐ３の各ピンデータとが接触する。
【００１８】
同様に、生成装置は、マウスなどの入力装置を用いたユーザの操作で、コネクタに関する３次元ＣＡＤデータＭ３の第２接続元のピンデータ群Ｐ４の各々のピンデータを、第２のプリント回路基板に関する３次元ＣＡＤデータＭ２のピンデータ群Ｐ２の各ピンデータに挿入することにより、第２のプリント回路基板に関する３次元ＣＡＤデータＭ２とコネクタに関する３次元ＣＡＤデータＭ３とを接続させる。この場合、第２のプリント回路基板に関する３次元ＣＡＤデータＭ２のピンデータ群Ｐ２の各ピンデータと第２接続元のピンデータ群Ｐ４の各ピンデータとが接触する。
【００１９】
生成装置は、第１のプリント回路基板に関する３次元ＣＡＤデータＭ１のピンデータ群Ｐ１の各ピンデータと第１接続元のピンデータ群Ｐ３の各ピンデータとの接触を検出する。そして、生成装置は、第１のプリント回路基板に関する３次元ＣＡＤデータＭ１のピンデータ群Ｐ１のどのピンデータが、第１接続元のピンデータ群Ｐ３のどのピンデータと接触するかを特定する。このようにして特定される情報を、第１の接触情報１１１と称す。
【００２０】
同様に、生成装置は、第２のプリント回路基板に関する３次元ＣＡＤデータＭ２のピンデータ群Ｐ２の各ピンデータと第２接続元のピンデータ群Ｐ４の各ピンデータとの接触を検出する。そして、生成装置は、第２のプリント回路基板に関する３次元ＣＡＤデータＭ２のピンデータ群Ｐ２のどのピンデータが、第２接続元のピンデータ群Ｐ４のどのピンデータと接触するかを特定する。このようにして特定される情報を、第２の接触情報１１２と称す。
【００２１】
そして、生成装置は、コネクタの接続定義情報１１０と第１の接触情報１１１と第２の接触情報１１２とをつき合わせて、接続条件データ１１３を生成する。接続条件データ１１３とは、第１のプリント回路基板に関する３次元ＣＡＤデータＭ１のピンデータ群Ｐ１のどのピンデータが、第２のプリント回路基板に関する３次元ＣＡＤデータＭ２のピンデータ群Ｐ２のどのピンデータと間接的に接続されているかを示すデータである。これにより、第１のプリント回路基板に関する３次元ＣＡＤデータＭ１と第２のプリント回路基板に関する３次元ＣＡＤデータＭ２との間の接続関係を自動生成することができ、接続設計の効率化を図ることができる。
【００２２】
＜生成装置のハードウェア構成例＞
図２は、生成装置のハードウェア構成例を示すブロック図である。図２において、生成装置２００は、プロセッサ２０１、記憶装置２０２、入力装置２０３、出力装置２０４、および通信装置２０５が、バス２０６に接続されて構成されている。
【００２３】
プロセッサ２０１は、生成装置２００の全体の制御を司る。また、プロセッサ２０１は、記憶装置２０２に記憶されている各種プログラムを実行することで、記憶装置２０２内のデータを読み出したり、実行結果となるデータを記憶装置２０２に書き込んだりする。各種プログラムには、ＯＳ（Ｏｐｅｒａｔｉｎｇ  Ｓｙｓｔｅｍ）や本実施の形態の生成プログラムなどのアプリケーションが含まれる。
【００２４】
記憶装置２０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、磁気ディスクドライブなどで構成され、プロセッサ２０１のワークエリアになったり、各種プログラムや各種データ（各プログラムの実行により得られたデータを含む）を記憶したりする。
【００２５】
入力装置２０３は、キーボード、マウス、タッチパネルなどユーザの操作により、各種データの入力をおこなうインターフェースである。出力装置２０４は、プロセッサ２０１の指示により、データを出力するインターフェースである。出力装置２０４には、ディスプレイやプリンタが挙げられる。通信装置２０５は、ネットワークを介して外部からデータを受信したり、外部にデータを送信したりするインターフェースである。
【００２６】
ここで、記憶装置２０２に記憶されている各種データについて説明する。記憶装置２０２には、実装データ群２１１と、実装部品ライブラリデータ群２１２と、３次元部品ライブラリデータ２１３群と、が記憶されている。
【００２７】
実装データ群２１１は、実装データの集合である。実装データ群２１１には、上述した第１の実装データ１０１や第２の実装データ１０２が含まれる。実装データは、一例として、実装仕様データと、基板データと、実装部品データと、実装部品ピンデータと、ネットデータと、ビアデータと、ラインデータと、を含む。実装仕様データは、プリント回路基板の仕様を特定するデータである。実装仕様データには、プリント回路基板の基板名や、線幅などの設計ルールが含まれる。基板データは、プリント回路基板を特定するデータである。基板データには、基板の層数、基板の外形形状、基板の厚さが含まれる。基板の厚さには、各信号層の厚さや層間の絶縁層の厚さが含まれる。
【００２８】
実装部品データは、プリント回路基板に実装される部品を特定するデータである。実装部品データには、プリント回路基板に実装される部品の部品名、部品が搭載されるプリント回路基板の搭載面、プリント回路基板に実装される部品の配置座標が含まれる。
【００２９】
実装部品ピンデータは、プリント回路基板に実装される部品ピンを特定するデータである。実装部品ピンデータには、プリント回路基板に実装される部品ピンの部品ピン名、部品ピンが搭載されるプリント回路基板の搭載面、部品ピンが配置される配置座標、部品ピンが配置される層の層番号が含まれる。
【００３０】
ネットデータは、プリント回路基板上の回路の接続関係を特定するデータである。ネットデータには、ネット番号およびネット名が含まれる。ビアデータは、プリント回路基板に存在するビアを特定するデータである。ビアデータには、ビアが存在するネットのネット番号、ビアが存在する座標、ビアが存在する層の層番号が含まれる。ラインデータは、プリント回路基板上の配線を特定するデータである。ラインデータには、配線を含むネットのネット番号、配線の始点座標および終点座標、配線の線幅、配線が存在する層の層番号が含まれる。
【００３１】
実装部品ライブラリデータ群２１２は、実装部品ライブラリデータの集合である。実装部品ライブラリデータは、プリント回路基板に実装される部品の２次元形状を特定するデータである。実装部品ライブラリデータには、実装される部品の部品名、部品形状や部品高さを示す形状データ、実装される部品ピンの部品ピン名、部品ピンに入出力される信号の信号区分、部品ピンの座標が含まれる。信号区分とは、電源、グランド、クロック、データバスなど信号の種類を特定する情報である。
【００３２】
生成装置２００は、実装データを３次元ＣＡＤデータに変換する。具体的には、生成装置２００は、実装データと、実装部品ライブラリデータと、を組み合わせることにより、３次元ＣＡＤデータを生成する。たとえば、図１に示したように、第１の実装データ１０１が第１のプリント回路基板に関する３次元ＣＡＤデータＭ１に変換され、第２の実装データ１０２が第２のプリント回路基板に関する３次元ＣＡＤデータＭ２に変換される。３次元ＣＡＤデータには、実装データおよび実装部品ライブラリデータ内のデータが含まれる。３次元ＣＡＤデータの生成は公知であるため、詳細については省略する。なお、３次元ＣＡＤデータは、あらかじめ記憶装置２０２に格納されていてもよい。
【００３３】
３次元部品ライブラリデータ群２１３は、３次元部品ライブラリデータの集合である。３次元部品ライブラリデータとは、たとえば、コネクタに関する３次元ＣＡＤデータＭ３である。コネクタには、接続ケーブルが含まれる。３次元部品ライブラリデータには、その３次元形状データや、実装される部品ピンの３次元形状データ、接続定義情報１１０が含まれる。生成装置２００は、プリント回路基板に関する３次元ＣＡＤデータどうしを接続する場合、コネクタに関する３次元ＣＡＤデータＭ３を３次元部品ライブラリデータ群２１３から抽出する。
【００３４】
＜接続定義情報１１０＞
図３は、３次元部品ライブラリデータに含まれる接続定義情報１１０の一例を示す説明図である。図３において、接続定義情報１１０は、ＩＤ項目と第１ピン項目と第２ピン項目と遅延値項目とを有し、各項目の値をレコードとして記憶する。各レコードは、接続しあう第１ピンと第２ピンの組み合わせを特定する。ＩＤ項目は、接続しあう第１ピンと第２ピンの組み合わせを特定する識別情報である。第１ピン項目には、第１ピンの識別情報が格納される。第１ピンとは、第１のプリント回路基板に接続されるピンである。第２ピン項目には、第２ピンの識別情報が格納される。第２ピンとは、第２のプリント回路基板に接続されるピンである。遅延値項目には、接続しあう第１ピンと第２ピンとの間の信号の遅延値が記憶される。接続定義情報１１０のＩＤ：ｒ１の組み合わせにおいて、第１ピンＡ０１と第２ピンＢ０１とが接続されており、その遅延値は１［ｐｓ］である。
【００３５】
（実施の形態１）
＜生成装置２００の機能的構成例＞
図４は、実施の形態１にかかる生成装置２００の機能的構成例を示すブロック図である。生成装置２００は、第１の検出部４０１と、第１の特定部４０２と、第２の検出部４０３と、第２の特定部４０４と、生成部４０５と、第１の分解部４０６と、第２の分解部４０７と、指定部４０８と、抽出部４０９と、表示部４１０と、を有する。第１の検出部４０１、第２の検出部４０３、第１の特定部４０２、第２の特定部４０４、生成部４０５、第１の分解部４０６、第２の分解部４０７、指定部４０８、抽出部４０９、および表示部４１０は、具体的には、たとえば、図２に示した記憶装置２０２に記憶されたプログラムをプロセッサ２０１に実行させることにより、その機能を実現する。
【００３６】
第１の検出部４０１は、第１接続先の３次元形状データが有する第１接続先のピンデータ群Ｐ１と、コネクタの３次元形状データが有する第１接続元のピンデータ群Ｐ３と、の接触を検出する。具体的には、たとえば、生成装置２００は、マウスなどの入力装置を用いたユーザの操作で、第１のプリント回路基板に関する３次元ＣＡＤデータＭ１の下端縁１０４をコネクタに関する３次元ＣＡＤデータＭ３の開口部１０３ａに挿入することにより、第１のプリント回路基板に関する３次元ＣＡＤデータＭ１とコネクタに関する３次元ＣＡＤデータＭ３とを接続させる。第１の検出部４０１は、接続の際に、第１のプリント回路基板に関する３次元ＣＡＤデータＭ１のピンデータ群Ｐ１の各ピンデータと第１の接続元ピンデータ群Ｐ３の各ピンデータとの接触を検出する。
【００３７】
第１の特定部４０２は、第１の検出部４０１によって検出された検出結果に基づいて、互いに接触しあう、第１接続先のピンデータ群Ｐ１の各々のピンデータと、第１接続元のピンデータ群Ｐ３の各々のピンデータとの組み合わせを示す第１の接触情報１１１を特定する。具体的には、たとえば、第１の特定部４０２は、接触しあうピンデータの識別情報を第１の接触情報１１１に書き出す。
【００３８】
図５は、第１の接触情報１１１の一例を示す説明図である。第１の接触情報１１１は、接触ＩＤ項目と、第１ピン項目と、第１接続先ピン項目と、を有し、レコードごとに各項目の値を有する。接触ＩＤ項目には、接触ＩＤが格納される。接触ＩＤとは、接触しあうピンの組み合わせを特定する識別情報である。第１ピン項目には、第１ピンとなる第１接続元ピンデータの識別情報が格納される。
【００３９】
第１接続先ピン項目には、第１接続先のピンデータの識別情報が格納される。第１接続先ピンとは、コネクタに関する３次元ＣＡＤデータＭ３との接続により第１ピンと接触しあう第１のプリント回路基板側のピンである。たとえば、接触ＩＤ：ｔａ１では、コネクタに関する３次元ＣＡＤデータＭ３における第１ピンＡ０１と、第１のプリント回路基板に関する３次元ＣＡＤデータＭ１における第１接続先ピンＰＣ１とが接触しあうことを示している。図４に戻る。
【００４０】
第２の検出部４０３は、第２接続先の３次元形状データが有する第２接続先のピンデータ群Ｐ２と、コネクタの３次元形状データが有する第２接続元のピンデータ群Ｐ４と、の接触を検出する。具体的には、たとえば、生成装置２００は、マウスなどの入力装置を用いたユーザの操作で、コネクタに関する３次元ＣＡＤデータＭ３の第２接続元のピンデータ群Ｐ４の各々のピンデータを、第２のプリント回路基板に関する３次元ＣＡＤデータＭ２のピンデータ群Ｐ２の各ピンデータに挿入することにより、第２のプリント回路基板に関する３次元ＣＡＤデータＭ２とコネクタに関する３次元ＣＡＤデータＭ３とを接続させる。第２の検出部４０３は、接続の際に、第２のプリント回路基板に関する３次元ＣＡＤデータＭ２のピンデータ群Ｐ２の各ピンデータと第２の接続元ピンデータ群Ｐ４の各ピンデータとの接触を検出する。
【００４１】
第２の特定部４０４は、第２の検出部４０３によって検出された検出結果に基づいて、互いに接触しあう、第２接続先のピンデータ群Ｐ２の各々のピンデータと、第２接続元のピンデータ群Ｐ４の各々のピンデータとの組み合わせを示す第２の接触情報１１２を特定する。具体的には、たとえば、第１の特定部４０２は、接触しあうピンデータの識別情報を第２の接触情報１１２に書き出す。
【００４２】
図６は、第２の接触情報１１２の一例を示す説明図である。第２の接触情報１１２は、接触ＩＤ項目と、第２ピン項目と、第２接続先ピン項目と、を有し、レコードごとに各項目の値を有する。接触ＩＤ項目には、接触ＩＤが格納される。接触ＩＤとは、接触しあうピンの組み合わせを特定する識別情報である。第２ピン項目には、第２ピンとなる第２接続元ピンデータの識別情報が格納される。
【００４３】
第２接続先ピン項目には、第２接続先のピンデータの識別情報が格納される。第２接続先ピンとは、コネクタに関する３次元ＣＡＤデータＭ３との接続により第２ピンと接触しあう第２のプリント回路基板側のピンである。たとえば、接触ＩＤ：ｔｂ１では、コネクタに関する３次元ＣＡＤデータＭ３における第２ピンＢ０１と、第２のプリント回路基板に関する３次元ＣＡＤデータＭ２における第２接続先ピンＣＮ１−０１とが接触しあうことを示している。図４に戻る。
【００４４】
生成部４０５は、第１接続先のピンデータ群Ｐ１の各ピンデータから、第１接続元のピンデータ群Ｐ３の各ピンデータ、第２接続元のピンデータ群Ｐ４の各ピンデータ、第２接続先のピンデータ群Ｐ２の各ピンデータまでの接続関係を示す接続関係データ群を生成する。具体的には、生成部４０５は、第１の特定部４０２および第２の特定部４０４によって特定された第１の接触情報１１１および第２の接触情報１１２と、第１接続元のピンデータ群Ｐ３の各々のピンデータと第２接続元のピンデータ群Ｐ４の各々のピンデータとの接続関係とに基づいて生成する。第１接続元のピンデータ群Ｐ３の各々のピンデータと第２接続元のピンデータ群Ｐ４の各々のピンデータとの接続関係とは、たとえば、図３に示した接続定義情報１１０である。
【００４５】
図７は、接続関係データ群を含む接続条件データ１１３の一例を示す説明図である。接続条件データ１１３は、第１接続先項目と、第２接続先項目と、を有する。第１接続先項目には、コネクタに関する３次元ＣＡＤデータＭ３に接続される一方のプリント回路基板の識別情報が格納される。図７では、例として、第１のプリント回路基板の識別情報である「Ｍ１」が格納される。第２接続先項目には、コネクタに関する３次元ＣＡＤデータＭ３に接続される他方のプリント回路基板の識別情報が格納される。図７では、例として、第２のプリント回路基板の識別情報である「Ｍ２」が格納される。
【００４６】
また、接続条件データ１１３は、接続ＩＤ項目と、第１接続先ピン項目と、第２接続先ピン項目と、遅延値項目と、を有し、レコードごとに各項目の値を有する。各レコードが接続関係データとなる。接続ＩＤ項目には、接続ＩＤが格納される。接続ＩＤとは、接続関係データを一意に特定する識別情報である。第１接続先ピン項目には、第１接続先項目により特定されるプリント回路基板が有する第１接続先ピンの識別情報が格納される。第２接続先ピン項目には、第２接続先項目により特定されるプリント回路基板が有する第２接続先ピンの識別情報が格納される。遅延値項目には、第１接続先ピンと第２接続先ピンとを接続させる第１ピンおよび第２ピンに対応する遅延値が格納される。
【００４７】
ここで、接続ＩＤ：Ｒ１を例にあげて接続関係データの生成例について説明する。第１接続先ピンＰＣ１に接触する第１ピンは、図５の第１の接触情報１１１により、「Ａ０１」である。第１ピンＡ０１と接続しあう第２ピンは、図３の接続定義情報１１０により、「Ｂ０１」である。そして、第２ピンＢ０１に接触する第２接続先ピンは、図６の第２の接触情報１１２により、「ＣＮ１−０１」である。図４に戻る。
【００４８】
第１の分解部４０６は、結合された第１接続先の３次元形状データおよびコネクタの３次元形状データを分解し、第１の接触情報１１１に基づいて接触関係があるピンデータ間の線分の対応関係を示す情報を描画する。具体的には、たとえば、第１の分解部４０６は、第１のプリント回路基板の３次元ＣＡＤデータＭ１とコネクタの３次元ＣＡＤデータＭ３との結合を解除する。具体的には、たとえば、第１の分解部４０６は、結合方向とは逆方向に、第１のプリント回路基板の３次元ＣＡＤデータＭ１を移動させる。そして、第１の分解部４０６は、第１の接触情報１１１を参照して、接触しあう第１ピンと第１接続先ピンとの間を結ぶ線分を描画する。これにより、ユーザは、第１プリント回路基板のどのピンがコネクタのどのピンと接触するかを視認することができる。
【００４９】
第２の分解部４０７は、結合された第２接続先の３次元形状データおよびコネクタの３次元形状データを分解し、第２の接触情報１１２に基づいて接触関係があるピンデータ間の線分の対応関係を示す情報を描画する。具体的には、たとえば、第２の分解部４０７は、第２のプリント回路基板の３次元ＣＡＤデータＭ２とコネクタの３次元ＣＡＤデータＭ３との結合を解除する。具体的には、たとえば、第２の分解部４０７は、結合方向とは逆方向に、第２のプリント回路基板の３次元ＣＡＤデータＭ２を移動させる。そして、第２の分解部４０７は、第２の接触情報１１２を参照して、接触しあう第２ピンと第２接続先ピンとの間を結ぶ線分を描画する。これにより、ユーザは、第２プリント回路基板のどのピンがコネクタのどのピンと接触するかを視認することができる。
【００５０】
指定部４０８は、第１および第２の分解部４０７による分解後の３次元形状データ群のうちいずれかの３次元形状データにおけるいずれかのピンデータの指定を受け付ける。分解後の３次元形状データ群には、第１のプリント回路基板に関する３次元ＣＡＤデータＭ１、第２のプリント回路基板に関する３次元ＣＡＤデータＭ２、および、コネクタに関する３次元ＣＡＤデータＭ３が含まれる。具体的には、たとえば、指定部４０８は、マウスなどの入力装置を用いたユーザの操作で、カーソルを、分解後の３次元形状データ群のうちいずれかの３次元形状データにおけるいずれかのピンデータにポイントすることにより、当該いずれかのピンデータを指定する。すなわち、指定部４０８は、第１接続先ピン、第２接続先ピン、第１ピン、第２ピンを指定することができる。
【００５１】
抽出部４０９は、生成部４０５によって生成された接続関係データ群の中から、指定部４０８によって指定されたピンデータを含む特定の接続関係データを抽出する。具体的には、たとえば、抽出部４０９は、指定部４０８により指定されたピンデータが、第１接続先ピンＰＣ１である場合、接続ＩＤ：Ｒ１の接続関係データを特定の接続関係データとして抽出する。また、抽出部４０９は、特定の接続関係データに関連する第１ピンおよび第２ピンを抽出することとしてもよい。たとえば、接続ＩＤ：Ｒ１の接続関係データが抽出された場合、抽出部４０９は、その第１接続先ピンＰＣ１と接触する第１ピンＡ０１を第１の接触情報１１１から抽出する。同様に、接続ＩＤ：Ｒ１の接続関係データが抽出された場合、抽出部４０９は、その第２接続先ピンＣＮ１−０１と接触する第１ピンＢ０１を第２の接触情報１１２から抽出する。
【００５２】
また、抽出部４０９は、指定部４０８により第１ピンまたは第２ピンが指定された場合、接続定義情報１１０から、指定されたピンデータを含むレコードを抽出する。たとえば、第１ピンＡ０１が指定された場合、抽出部４０９は、接続定義情報１１０から第２ピンＢ０１を抽出する。またこの場合、抽出部４０９は、第１の接触情報１１１および第２の接触情報１１２を参照して、指定されたピンデータや接続定義情報１１０から抽出されたピンデータと接触するピンデータを抽出してもよい。たとえば、第１ピンＡ０１が指定された場合、抽出部４０９は、第１の接触情報１１１から第１ピンＡ０１と接触する第１接続先ピンＰＣ１を抽出する。また、抽出部４０９は、第２の接触情報１１２から第２ピンＢ０１と接触する第２接続先ピンＣＮ１−０１を抽出する。
【００５３】
表示部４１０は、抽出部４０９によって抽出された特定の接続関係データに含まれるピンデータ群を強調表示する。具体的には、たとえば、指定されたピンデータが、第１接続先ピンＰＣ１である場合、表示部４１０は、接続条件データ１１３を参照して、接続ＩＤ：Ｒ１の接続関係データに含まれる第１接続先ピンＰＣ１を指定する。そして、表示部４１０は、指定した第１接続先ピンＰＣ１の形状データを第１のプリント回路基板に関する３次元ＣＡＤデータＭ１から特定して強調表示する。
【００５４】
同様に、表示部４１０は、接続ＩＤ：Ｒ１の接続関係データに含まれる第２接続先ピンＣＮ１−０１を、第２のプリント回路基板に関する３次元ＣＡＤデータＭ２において強調表示する。また、表示部４１０は、抽出部４０９により第１ピンおよび第２ピンが抽出されている場合には、第１ピンおよび第２ピンを、コネクタに関する３次元ＣＡＤデータＭ３において強調表示する。また、表示部４１０は、強調表示対象のピンの識別情報を表示してもよい。
【００５５】
ここで、強調表示とは、他のピンと差別化できる表示であり、たとえば、他のピンと異なる色で表示したり、他のピンを一時的に消去したりする処理が含まれる。また、表示部４１０は、第１の分解部４０６および第２の分解部４０７で生成された線分群のうち特定の接続関係データに含まれるピン間の線分を強調表示することとしてもよい。
【００５６】
図８は、表示部４１０による表示例１を示す説明図である。図８の表示例１は、例として、指定部４０８により第２接続先ピンＣＮ１−０１がマウスカーソルＣにより指定された場合の表示例である。第１のプリント回路基板に関する３次元ＣＡＤデータＭ１とコネクタに関する３次元ＣＡＤデータＭ３との間には、接触しあうピンデータ間を結ぶ線分（２点鎖線）が描画されている。図８では、第１接続先ピンＰＣ１，第１ピンＡ０１，第２ピンＢ０１，第２接続先ピンＣＮ１−０１が強調表示されている。また、第１接続先ピンＰＣ１，第１ピンＡ０１，第２ピンＢ０１，第２接続先ピンＣＮ１−０１のピン名が表示されている。また、第１接続先ピンＰＣ１と第１ピンＡ０１とを結ぶ第１線分８０１と、第２ピンＢ０１と第２接続先ピンＣＮ１−０１とを結ぶ第２線分８０２とが、強調表示されている。
【００５７】
図９は、表示部４１０による表示例２を示す説明図である。図８の表示例１との相違は、図９の表示例２では、第１線分８０１および第２線分８０２以外の線分を一時的に消去した点である。したがって、指定が解除されると、消去された線分が図８のように復元される。
【００５８】
＜生成処理手順＞
図１０は、実施の形態１にかかる生成装置２００による生成処理手順例を示すフローチャートである。図１０において、生成装置２００は、第１実装データおよび第２実装データを選択し（ステップＳ１００１）、選択した第１実装データおよび第２実装データを３次元変換する（ステップＳ１００２）。これにより、第１のプリント回路基板に関する３次元ＣＡＤデータＭ１および第２のプリント回路基板に関する３次元ＣＡＤデータＭ２が、３次元ＣＡＤ空間に描画される。
【００５９】
つぎに、生成装置２００は、第１の検出部４０１により、第１のプリント回路基板に関する３次元ＣＡＤデータＭ１とコネクタに関する３次元ＣＡＤデータＭ３との接触を検出して（ステップＳ１００３）、第１の特定部４０２により、第１の接触情報１１１を特定する（ステップＳ１００４）。また、生成装置２００は、第２の検出部４０３により、第２のプリント回路基板に関する３次元ＣＡＤデータＭ２とコネクタに関する３次元ＣＡＤデータＭ３との接触を検出して（ステップＳ１００５）、第２の特定部４０４により、第２の接触情報１１２を特定する（ステップＳ１００６）。
【００６０】
そして、生成装置２００は、生成部４０５により、接続条件データ１１３を生成し（ステップＳ１００７）、第１の分解部４０６および第２の分解部４０７により分解処理を実行する（ステップＳ１００８）。このあと、生成装置２００は、指定部４０８により、３次元ＣＡＤデータ上のピンデータが指定されるのを待ち受ける（ステップＳ１００９：Ｎｏ）。そして、ピンデータが指定された場合（ステップＳ１００９：Ｙｅｓ）、生成装置２００は、抽出部４０９により、指定されたピンデータに関連付けられているピンデータを抽出する（ステップＳ１０１０）。そして、生成装置２００は、表示部４１０により、抽出されたピンデータを強調表示する（ステップＳ１０１１）。
【００６１】
このように、実施の形態１によれば、第１のプリント回路基板に関する３次元ＣＡＤデータＭ１と、第２のプリント回路基板に関する３次元ＣＡＤデータＭ２とをコネクタに関する３次元ＣＡＤデータＭ３を介して接続することにより、第１のプリント回路基板に関する３次元ＣＡＤデータＭ１のどのピンデータが、第２のプリント回路基板に関する３次元ＣＡＤデータＭ２のどのピンデータと間接的に接続されるかを確認することができる。このような３次元ＣＡＤ空間での操作により、ピンデータの接続関係データを効率的に取得することができ、接続設計作業の効率化を図ることができる。
【００６２】
また、実施の形態１によれば、接触しあうピンデータどうしを線分でつなげて、接続された３次元ＣＡＤデータ群を分解することにより、どのピンデータとどのピンデータとが接触しあうのかを視認することができる。
【００６３】
また、実施の形態１によれば、３次元ＣＡＤデータにおけるピンデータを指定することにより、指定されたピンデータと、当該ピンデータに関連付けられているピンデータとが強調表示されるため、ユーザは、どのピンデータがどのピンデータとつながっているかを容易に確認することができる。
【００６４】
（実施の形態２）
つぎに、実施の形態２について説明する。実施の形態１では、第１の分解部４０６および第２の分解部４０７による分解後の３次元ＣＡＤデータ群のいずれかの３次元ＣＡＤデータのいずれかのピンデータを指定することにより、指定されたピンデータおよび当該ピンデータと接続関係にあるピンデータを強調表示した。
【００６５】
これに対し、実施の形態２は、３次元ＣＡＤデータのいずれかのピンデータを指定するのではなく、接続関係データ群を３次元ＣＡＤデータ群とともに表示させておき、いずれかの接続関係データに含まれるピンデータを強調表示する例である。実施の形態２では、実施の形態１と異なる点のみ説明する。
【００６６】
まず、実施の形態２にかかる生成装置２００の機能的構成例について説明する。実施の形態２にかかる生成装置２００の第１の検出部４０１、第２の検出部４０３、第１の特定部４０２、第２の特定部４０４、生成部４０５、第１の分解部４０６、および第２の分解部４０７は、実施の形態１と同一機能である。
【００６７】
図４において、指定部４０８は、生成部４０５によって生成された接続関係データ群の中からいずれかの接続関係データの指定を受け付ける。具体的には、たとえば、指定部４０８は、マウスなどの入力装置の操作により、表示画面に表示された接続関係データ群の中からいずれかの接続関係データの指定を受け付ける。
【００６８】
表示部４１０は、第１および第２の分解部４０７による分解後の３次元形状データ群において、指定部４０８によって指定されたいずれかの接続関係データに含まれるピンデータ群を強調表示する。具体的には、たとえば、表示部４１０は、接続ＩＤ：Ｒ１の接続関係データが指定された場合、第１接続先ピンＰＣ１および第２接続先ピンＣＮ１−０１を強調表示する。また、表示部４１０は、指定された接続関係データに含まれるピンデータ群の各ピンデータの識別情報を表示してもよく、また、指定された接続関係データに含まれるピンデータ群に対応する線分を強調表示してもよい。
【００６９】
また、表示部４１０は、抽出部４０９により、指定された接続関係データに含まれる各ピンデータと接触するコネクタに関する３次元ＣＡＤデータＭ３のピンデータを抽出し、接続関係データに含まれるピンデータと同様、強調表示することとしてもよい。たとえば、表示部４１０は、接続ＩＤ：Ｒ１の接続関係データが指定された場合、第１接続先ピンＰＣ１に接触する第１ピンＡ０１および第２接続先ピンＣＮ１−０１に接触する第２ピンＢ０１を強調表示してもよい。また、表示部４１０は、第１ピンＡ０１および第２ピンＢ０１の識別情報を表示してもよい。
【００７０】
図１１は、表示部４１０による表示例３を示す説明図である。図１１の表示例３は、例として、指定部４０８により接続ＩＤ：Ｒ１の接続関係データ（第１接続先ピンＰＣ１と第２接続先ピンＣＮ１−０１の組み合わせ）がマウスカーソルＣにより指定された場合の表示例である。第１のプリント回路基板に関する３次元ＣＡＤデータＭ１とコネクタに関する３次元ＣＡＤデータＭ３との間には、接触しあうピンデータ間を結ぶ線分（２点鎖線）が描画されている。
【００７１】
図１１では、第１接続先ピンＰＣ１，第１ピンＡ０１，第２ピンＢ０１，第２接続先ピンＣＮ１−０１が強調表示されている。また、第１接続先ピンＰＣ１，第１ピンＡ０１，第２ピンＢ０１，第２接続先ピンＣＮ１−０１のピン名が表示されている。また、第１接続先ピンＰＣ１と第１ピンＡ０１とを結ぶ第１線分８０１と、第２ピンＢ０１と第２接続先ピンＣＮ１−０１とを結ぶ第２線分８０２とが、強調表示されている。
【００７２】
図１２は、表示部４１０による表示例４を示す説明図である。図１１の表示例３との相違は、図１２の表示例４では、第１線分８０１および第２線分８０２以外の線分を一時的に消去した点である。したがって、指定が解除されると、消去された線分が図１１のように復元される。
【００７３】
＜生成処理手順＞
図１３は、実施の形態２にかかる生成装置２００による生成処理手順例を示すフローチャートである。図１３において、図１０に示した処理と同一処理については同一ステップ番号を付し、その説明を省略する。
【００７４】
ステップＳ１００８のあと、生成装置２００は、指定部４０８により、接続関係データが指定されるのを待ち受ける（ステップＳ１３０９：Ｎｏ）。そして、接続関係データが指定された場合（ステップＳ１３０９：Ｙｅｓ）、生成装置２００は、表示部４１０により、指定された接続関係データ内のピンデータを３次元ＣＡＤデータにおいて特定する（ステップＳ１３１０）。なお、上述したように、表示部４１０は、指定された接続関係データ内のピンデータに接触するコネクタのピンデータを特定してもよい。そして、生成装置２００は、表示部４１０により、特定されたピンデータを強調表示する（ステップＳ１３１１）。
【００７５】
このように、実施の形態２によれば、第１のプリント回路基板に関する３次元ＣＡＤデータＭ１と、第２のプリント回路基板に関する３次元ＣＡＤデータＭ２とをコネクタに関する３次元ＣＡＤデータＭ３を介して接続することにより、第１のプリント回路基板に関する３次元ＣＡＤデータＭ１のどのピンデータが、第２のプリント回路基板に関する３次元ＣＡＤデータＭ２のどのピンデータと間接的に接続されるかを確認することができる。このような３次元ＣＡＤ空間での操作により、ピンデータの接続関係データを効率的に取得することができ、接続設計作業の効率化を図ることができる。
【００７６】
また、実施の形態２によれば、接触しあうピンデータどうしを線分でつなげて、接続された３次元ＣＡＤデータ群を分解することにより、どのピンデータとどのピンデータとが接触しあうのかを視認することができる。
【００７７】
また、実施の形態２によれば、ユーザが確認したい接続関係データを入力装置の操作により生成装置２００が指定することで、指定された接続関係データが３次元ＣＡＤデータ上のどの位置にあるどのピンデータに該当するかを視認することができる。したがって、たとえば、検証したいピン名がある場合に、そのピン名を含む接続関係データを指定するだけで、ユーザは、ピンデータの３次元上の位置や接続関係を確認することができる。
【符号の説明】
【００７８】
１１０  接続定義情報
１１１  第１の接触情報
１１２  第２の接触情報
１１３  接続条件データ
２００  生成装置
４０１  第１の検出部
４０２  第１の特定部
４０３  第２の検出部
４０４  第２の特定部
４０５  生成部
４０６  第１の分解部
４０７  第２の分解部
４０８  指定部
４０９  抽出部
４１０  表示部
【図１】
0005935514.tif 000002
【図２】
0005935514.tif 000003
【図３】
0005935514.tif 000004
【図４】
0005935514.tif 000005
【図５】
0005935514.tif 000006
【図６】
0005935514.tif 000007
【図７】
0005935514.tif 000008
【図８】
0005935514.tif 000009
【図９】
0005935514.tif 000010
【図１０】
0005935514.tif 000011
【図１１】
0005935514.tif 000012
【図１２】
0005935514.tif 000013
【図１３】
0005935514.tif 000014